(57)【要約】【課題】  ボディ部分の着脱・交換が可能な構造を特徴とし、ボディ部分が分割されている構造を有することでボディの組み合わせによって、ヘッドとテールの重心バランス調整が可能で、かつ、ヘッドボディ１に装飾されたウィング９に対して分割されたテールボディ２の回転規制が可能なチューブフライのボディと、その製作方法を提供すること。【解決手段】  ヘッドボディ１とテールボディ２、及びジョイント３に釣り糸４を通して、釣り針となるフック５に釣り糸４を結んで使用する。ヘッドボディ１にはヘッド側アウターチューブ１ｂとヘッド側インナーチューブ１ａ、テールボディ２にはテール側アウターチューブ２ｂとテール側インナーチューブ２ａがそれぞれに組み合わせされている構造である。インナーチューブ１ａ、２ａには、インナージョイント８の接続構造によって回転規制が施されている。【選択図】図５
2005224231.tif 000002
【特許請求の範囲】
【請求項１】
チューブボディ部分が分割されていて、着脱・交換が可能な構造を有するボディの組み合わせで、チューブフライの重心バランス調整が可能なチューブフライのボディと、その製作方法。
【請求項２】
請求項１のヘッドボディ１、テールボディ２がインナージョイント８の差込によって連結する構造を有するチューブフライのボディ。
【請求項３】
請求項１のヘッドボディ１に装飾されたウィング９に対して、分割されたテールボディ２の回転規制をするための、インナージョイント８の形状を設けたチューブフライのボディと、その製作方法。
【発明の詳細な説明】
【発明の詳細な説明】
【技術分野】
【０００１】  本発明は、チューブフライのボディ構造・製作に関する。
【背景技術】
【０００２】  捕獲する魚の種類や釣り場の状況に適したパターンを現場で組み立てられるようにしたチューブフライ、並びにそのボディが提供されていることは市場商品などによって知られている。（例えば、特許文献１）
【特許文献１】特開２００３−２９９４２５
【発明の開示】
【発明が解決しようとする課題】
【０００３】  今までのチューブフライはインナーに重りを入れ込むことやボディ素材を比重の異なる材料で作る方法であったため、ヘッド部とテール部の重心バランスが調節できず、フックの重さでテールボディ側が沈みやすいなどの問題があり安定した泳ぎが期待出来ないものであった。
また、従来の構造では小構成部品も多く、現場での分解・組み立てに不向きであった。
製作については、従来の構造では本発明のものよりも素材種類が多く必要で、部品の加工も複雑であった。【０００４】  チューブフライのウィングに対して分割されたボディの回転規制が出来ないため、回転規制の必要なボディパターンが使えないなどの問題があった。
従来のチューブフライ場合は釣果を向上させるには釣り場の状況や変化（水深、水温、流速、止水、水位・潮位の増減、天候、季節、時刻）、それに伴う魚の捕食行動に適したパターンへの交換が必要であり、ボディ種類や数量を多く用意しなければならなかった為、チューブフライボディ種類と構成パーツを膨大に準備する必要がある。【０００５】  このように状況の変化に対してチューブフライの現場セレクトはシンプルで効率的に、かつ合理的に成立させることが要求される。そしてこの要求に応え得るのが本発明である。
さらにそのチューブボディ構造を簡易にさせることで、従来のチューブフライによる釣り方法をも変えずに対応可能とさせることも本発明の解決しようとする課題である。
【課題を解決するための手段】
【０００６】  以上の課題を解決するために、第一発明は、チューブボディ部分が分割されていて、着脱・交換が可能な構造を有するボディの組み合わせで、チューブフライの重心バランス調整が可能であることを特徴とするチューブフライのボディと、その製作方法である。【０００７】  第二発明は、ヘッドボディ１、テールボディ２がインナージョイント８の差込によって連結する構造を有することを特徴とするチューブフライのボディである。【０００８】  第三発明は、ヘッドボディ１に装飾されたウィング９に対して、分割されたテールボディ２の回転規制をするための、インナージョイント８の形状を設けたことを特徴とするチューブフライのボディと、その製作方法である。
【発明の効果】
【０００９】  第一発明では、ボディの種類をいろいろな形や素材でヘッド側、テール側もしくはさらに複数組み合わせさせる構成によって、チューブフライの長さやヘッドとテールの比重違いボディ素材の組み合わせによる着脱・交換（前後の重心バランス）が可能で、釣り場の状況や流れの変化・条件に適切に対応したチューブフライが簡単に即効対応可能である。【００１０】  また、ヘッドボディ１とテールボディ２それぞれを複数製作することで、ねずみ算的にチューブボディ種類が組み合わせで可能となり、少ないパーツで多彩なチューブフライ構成が組み合わせ可能である。【００１１】  第二発明の連結構造によって、ヘッドボディ１に対してテールボディ２の回転が規制出来るため、テールボディ２側に方向性の必要な装飾やヘッドボディ１からテールボディ２への連続した装飾パターン（例えば、連続した螺旋状の模様・装飾や上下の決まっているパターン）が製作可能である。【００１２】  第三発明のインナージョイント８の斜め差込形状によって、差込やすい形状とさせたことでテールボディ２との接続がスムーズに接続可能でもある。【００１３】  回転規制構造とヘッドとテールの比重違いボディ組み合わせ構造は、いずれもチューブ材で実現・対応可能であるため簡単に製作が可能である。よって生産性が高い。【００１４】  製作においては、部品の加工に特殊な機械（旋盤などの工作機械）を必要とせず、手持ち工具（鋸、ナイフ、ヤスリ）で簡単に製作可能である。
【発明の実施するための最良の形態】
【００１５】  本発明の構造は、ヘッドボディ１とテールボディ２、及びジョイント３に釣り糸４を通して、釣り針となるフック５に釣り糸４を結んで使用する。ヘッドボディ１にはヘッド側アウターチューブ１ｂとヘッド側インナーチューブ１ａ、テールボディ２にはテール側アウターチューブ２ｂとテール側インナーチューブ２ａがそれぞれに組み合わせされている構造である。
【００１６】  アウターチューブ及びインナーチューブは重心バランスを組み替えるためにその素材を比重の重い材質（例えば銅、真鍮など）や軽い材質（例えばアルミ、プラスティック）のチューブ状のものを適当な長さに切断して使用する。ボディの長さで水の抵抗も変わるため、材質や長さの組み合わせによって多様な種類が構成できる。
【００１７】  「実施形態の効果」
この実施形態によれば、インナーチューブ１ａ、２ａは釣り糸４とアウターチューブとの擦れによる切断を保護するのと同時に、ヘッドボディ１とテールボディ２をインナージョイント部８を介してボディの連接部の段差無く、かつ、現場でのボディ連結作業をスムーズ対処出来る効果も兼ね備える。
【００１８】  連結させるヘッドボディ１とテールボディ２、及びフック５はそれぞれの大きさや長さで外観の差を、さらに材料比重を変えることで重さとバランスを、多彩な種類に組み替え可能となる。
【００１９】  ヘッド側インナーチューブ１ａもしくはテール側インナーチューブ２ａは分割させて使用するが、ヘッド側アウターチューブ１ｂ及びテール側アウターチューブ２ｂのアウターチューブ分割位置６と異なるインナーチューブ分割位置７で分割することによってインナージョイント８を設け、釣り糸４に通すことで連結させる。これによってそれぞれを着脱自在に連結することが可能である。
【００２０】  インナーチューブ分割は単に切断による分割でも使用可能であるが、さらにヘッドアウターチューブ１ｂのとテールアウターチューブ２ｂの上下方向に対して回転規制させるために、ヘッド側インナーチューブ１ａとテール側インナーチューブ２ａの断面形状を斜めに切断させてつき合わせることで、回転を規制させることが出来る。この場合、アウターチューブとインナーチューブ間の回転を止めるために、アウターチューブ１ｂ・２ｂとインナーチューブ１ａ・２ａは水流の圧力で回らない程度の摩擦ができる嵌め合いとするか、もしくはアウターチューブ１ｂにインナーチューブ１ａ、アウターチューブ２ｂにインナーチューブ２ａをそれぞれに固着をさせる。固着する方法は接着に限らない。
【００２１】  ヘッドボディ１とテールボディ２にそれぞれ結束糸１１を巻いてウイング９や装飾材１０（鳥類の羽根や動物の毛、人工繊維材など）を巻きとめることでチューブフライとして使用する。結束糸１１を使って装飾材１０を巻きとめる方法は従来からの製法技術が活用可能である。
【００２２】  釣り糸４に通して連結されたチューブボディは柔軟な素材（弾性体チューブや熱伸縮チューブなど）のインナージョイント８とジョイント３を介してフック５と連結されることで分割されたチューブフライの一体化がなされる。
【００２３】  「他の実施形態」
図１の実施形態では、インナージョイント８が斜め形状としているが、回転規制の必要の無いチューブフライの場合は、斜め形状にこだわらない。また、インナーチューブ２ａの組み込みも必要の限りではない。
【図面の簡単な説明】
【００２４】
【図１】チューブボディの構成を示す断面図である。
【図２】テールボディを示す斜視図である。
【図３】ヘッドボディを示す斜視図である。
【図４】チューブフライを示す断面図である。
【図５】回転規制の必要なテールボディを組み付けた場合のチューブフライを示す断面図である。
【符号の説明】
【００２５】  １、ヘッドボディ
２、テールボディ
３、ジョイント
４、釣り糸
５、フック
６、アウターチューブ分割位置
７、インナーチューブ分割位置
８、インナージョイント
９、ウィング
１０、装飾材
１１、結束糸
１ａ、ヘッド側インナーチューブ
１ｂ、ヘッド側アウターチューブ
２ａ、テール側インナーチューブ
２ｂ、テール側アウターチューブ
【図１】
2005224231.tif 000003
【図２】
2005224231.tif 000004
【図３】
2005224231.tif 000005
【図４】
2005224231.tif 000006
【図５】
2005224231.tif 000007